(57)【特許請求の範囲】
【請求項１】
液剤移動装置であって、薬剤を収容した、端部が閉じたバイアル管、無穿孔の注射バイアルストッパによって塞がれた頂部開口を有する管状のバイアル頂部、および最上部注射バイアル表面を有する、初めは無穿孔の完全なままの個別注射バイアル、ならびにハサミのような圧縮を加えて前記液剤移動装置から無穿孔の完全なままの個別注射バイアルを解放するための、対向する１対の内向き突出部を備えた完全なままの個別注射バイアル解放ツール、と共に使用するための液剤移動装置であって、
（ａ）長手方向のバイアルアダプタ中心線を有する一体型伸縮式バイアルアダプタであって、
ｉ）最上部の横向き環状内側バイアルアダプタ本体壁部と、最下部のバイアル頂部スリーブリムを有する下方懸架バイアル頂部スリーブとを備えた、逆さまになったカップの形状を有する内側バイアルアダプタ本体であって、
前記内側バイアルアダプタ本体が、前記内側バイアルアダプタ本体を前記バイアル頂部に伸縮式にスナップフィットさせた際に前記バイアル頂部を受けるためのバイアル頂部空洞の境界を定め、
前記バイアル頂部スリーブが、バイアル頂部スリーブ主囲繞部と、前記バイアル頂部スリーブ主囲繞部に対して枢動可能な、対称な位置にある１対のバイアル頂部保持部材とを有し、したがって、それぞれの前記バイアル頂部保持部材が、バイアル頂部保持部材近位部分およびバイアル頂部保持部材遠位部分を有し、
それぞれの前記バイアル頂部保持部材遠位部分が、前記最下部のバイアル頂部スリーブリムのほうに、前記初めは無穿孔の完全なままの個別注射バイアルへの前記内側バイアルアダプタ本体の前記伸縮式スナップフィットの際に前記バイアル頂部の下にスナップフィットする、半径方向内向きのバイアル頂部保持突出部を有し、
前記対称な位置にある１対のバイアル頂部保持部材が、前記バイアル頂部スリーブ主囲繞部に対して枢動可能であり、したがって、前記長手方向のバイアルアダプタ中心線に向かって、前記対称な位置にある１対のバイアル頂部保持部材近位部分に前記ハサミのような圧縮を加えることにより、前記対称な位置にある１対の半径方向内向きのバイアル頂部保持突出部が、前記長手方向のバイアルアダプタ中心線から遠ざかる、内側バイアルアダプタ本体、
ｉｉ）最上部の横向き外側バイアルアダプタ本体壁部と、下方懸架裾部とを備えた、逆さまになったカップの形状を有する外側バイアルアダプタ本体であって
前記外側バイアルアダプタ本体が、圧縮前高さＨ１を有する初期の圧縮前状態から圧縮高さＨ２を有する最終圧縮状態へと前記一体型伸縮式バイアルアダプタを圧縮した際に前記内側バイアルアダプタ本体を内部にぴったりと伸縮式に受けるための内側バイアルアダプタ本体空洞の境界を定め、Ｈ１＞Ｈ２であり、
前記最上部の横向き外側バイアルアダプタ本体壁部が、近位穿孔カニューレ開口と、前記バイアル管と流体連通するように前記注射バイアルストッパを穿孔するための遠位穿孔カニューレ先端とを備えた下方懸架穿孔カニューレを有する、外側バイアルアダプタ本体、ならびに
ｉｉｉ）前記バイアルアダプタを不可逆的に前記最終圧縮状態でクランプするためのクランプ装置を含み、
前記バイアルアダプタは、前記圧縮前状態では、前記遠位穿孔カニューレ先端が前記無穿孔の注射バイアルストッパの上に重なり、前記対称な位置にある１対のバイアル頂部保持部材近位部分が、前記内側バイアルアダプタ本体から前記無穿孔の完全なままの個別注射バイアルを解放するための前記ハサミのような圧縮のためにアクセス可能であり、前記最終圧縮状態では、前記遠位穿孔カニューレ先端が、前記バイアル管と流体連通するように前記注射バイアルストッパを穿孔し、前記下方懸架裾部が、前記対称な位置にある１対のバイアル頂部保持部材近位部分へのアクセスを不可能にする、ように構成される、一体型伸縮式バイアルアダプタと、
ｂ）前記近位穿孔カニューレ開口と流体連通した液体移動ポートと
を備える、液剤移動装置。
【請求項２】
前記下方懸架裾部が、対称な位置にある１対の個別注射バイアル解放貫通アパーチャを含み、前記対称な位置にある１対の個別注射バイアル解放貫通アパーチャは、前記バイアルアダプタの前記初期の圧縮前状態において前記対称な位置にある１対のバイアル頂部保持部材近位部分に前記ハサミのような圧縮を印加するために、前記完全なままの個別注射バイアル解放ツールにアクセスを提供するような形状および寸法にされる、請求項１に記載の装置。
【請求項３】
前記ハサミのような圧縮の前記印加に際して、前記対称な位置にある１対のバイアル頂部保持部材が、前記最上部の横向き環状内側バイアルアダプタ本体壁部を軸に枢動する、請求項１または２に記載の装置。
【請求項４】
前記一体型伸縮式バイアルアダプタが、前記圧縮前状態から前記圧縮状態へと前記一体型伸縮式バイアルアダプタを圧縮するのを可能にするために解除動作を必要とする安全装置機構を含む、請求項１から３のいずれか一項に記載の装置。
【請求項５】
バイアルアダプタとして構成され、前記液体移動ポートがコネクタである、請求項１から４のいずれか一項に記載の装置。
【請求項６】
１対の初めは無穿孔の完全なままの個別注射バイアル、およびニードルレスシリンジと共に使用するように構成された、請求項１から４のいずれか一項に記載の装置。
【請求項７】
注入液容器および注入セットと共に使用するように構成された、請求項１から４のいずれか一項に記載の装置。
【請求項８】
前記対向する１対の内向き突出部を備えた対向する１対の掴み具を有するハサミ状ハンドツールとして構成される、請求項１から７のいずれか一項に記載の装置と共に使用するための前記対向する１対の内向き突出部を備えた前記完全なままの個別注射バイアル解放ツール。
【発明の詳細な説明】
【技術分野】
【０００１】
本発明は、個別注射バイアルと共に使用するための液剤移動装置に関する。
【背景技術】
【０００２】
薬剤を収容した個別注射バイアルと共に使用するための、一体型バイアルアダプタを有する液剤移動装置が、家庭用、外来診療所用、病院用などで利用可能である。一体型バイアルアダプタを有する例示的な液剤移動装置には、とりわけ、ニードルレスシリンジと共に使用するための、メスのルアーコネクタを有するメスバイアルアダプタ、オスのルアーコネクタを有するオスバイアルアダプタ、一体型投与装置とニードルレスシリンジをそこに取り付けるためのシリンジポートとを有する液剤移動装置、２つの注射バイアルの内容物を混合して、シリンジポートからニードルレスシリンジへと吸引される液剤を形成する液剤移動装置などが含まれる。
【０００３】
個別注射バイアルは、通常は高価な薬剤を収容した、端部が閉じたバイアル管と、頂部開口を有する管状のバイアル頂部と、バイアル管とバイアル頂部の間のバイアル狭窄部とを含む。個別注射バイアルは、頂部開口を気密封止するための注射バイアルストッパと、バイアル頂部を覆うためのバンドとを含む。個別注射バイアルは、通常、再び取り付けることができない形で使用直前に取り除かれて最上部注射バイアル表面を露出させるものである、フリップ・オフ式不正開封防止キャップを含み、最上部注射バイアル表面は、注射バイアルを利用する前に滅菌される。
【０００４】
バイアルアダプタは、最上部の横向きバイアルアダプタ壁部と、下方懸架バイアル頂部スリーブとを含む、概して逆さまになったカップの形状を有して、個別注射バイアルにバイアルアダプタを伸縮式にマウントした際にバイアル頂部を受けるためのバイアル頂部空洞の境界を定める。最上部の横向きバイアルアダプタ壁部は、近位穿孔カニューレ開口および遠位穿孔カニューレ先端を備えた下方懸架穿孔カニューレを有して、個別注射バイアルにバイアルアダプタを伸縮式にマウントするのと同時に注射バイアルストッパを穿孔する。バイアル頂部スリーブは、任意選択で、よりしっかりとマウントするために、個別注射バイアルにバイアルアダプタを伸縮式にスナップフィットさせた際にバイアル頂部の下にスナップフィットする、１つまたは複数の半径方向内向きのバイアル頂部保持突出部を有することができる。
【０００５】
個別注射バイアルにバイアルアダプタを伸縮式にマウントすることは、通常は、その薬剤を即座に投与する準備が整った患者の横で実施される。伸縮式にマウントするのは、いくつかの理由から、比較的問題が多い作業であると考えられている：第１に、手に手袋をはめた医療提供者が、バイアルアダプタおよび個別注射バイアルの取扱いを器用にこなさなければならない。第２に、医療提供者は、個別注射バイアルにバイアルアダプタを伸縮式にマウントすると同時にその注射バイアルストッパを穿孔するために、かなり強い力を加える必要がある。第３に、医療提供者は、個別注射バイアルに対してバイアルアダプタを不正確に位置決めしがちであり、その結果、その遠位穿孔カニューレ先端が注射バイアルストッパを穿孔せず、むしろ注射バイアルストッパの中に埋まる。そして第４に、いくつかの薬剤の場合、投与のスピードが最も重要であり、個別注射バイアルにバイアルアダプタを伸縮式にマウントすると同時にその注射バイアルストッパを穿孔することは、比較的長い時間を要する場合がある。
【発明の概要】
【発明が解決しようとする課題】
【０００６】
一体型バイアルアダプタを有する液剤移動装置を個別注射バイアルと共に使用することを容易にする必要性がある。
【課題を解決するための手段】
【０００７】
本発明は、初めは無穿孔の完全なままの個別注射バイアルと共に使用するための、一体型伸縮式バイアルアダプタを備えた液剤移動装置を対象とする。その圧縮前状態では、バイアルアダプタは、その注射バイアルストッパを穿孔することなしに、初めは無穿孔の完全なままの個別注射バイアルに伸縮式にスナップフィットする。その圧縮状態では、バイアルアダプタは注射バイアルストッパを穿孔する。伸縮式にマウントすると同時に注射バイアルストッパを穿孔するというこれまでの単一ステップを、個別注射バイアルに一体型伸縮式バイアルアダプタを伸縮式にスナップフィットさせる最初のステップと、一体型伸縮式バイアルアダプタを圧縮してその注射バイアルストッパを穿孔する後続のステップとに分割することにより、２つのステップを同じ医療提供者によって、または任意選択で２人の医療提供者によって実施することが可能になる。後者の場合、第１の医療提供者は、患者の近くでない調剤部、無菌室などに配置されてもよく、第２の医療提供者のみが、投与の目的で患者の横にいる。
【０００８】
単独の、または第１の医療提供者は、個別注射バイアルに液剤移動装置の一体型伸縮式バイアルアダプタを伸縮式にスナップフィットさせて、事前に取り付けられた無穿孔の完全なままの個別注射バイアルを備えた、いわゆるすぐに使用できる（ＲＴＵ：Ｒｅａｄｙ−Ｔｏ−Ｕｓｅ）液剤移動組立体を準備する責任を負う。注射バイアルストッパの穿孔には、個別注射バイアルにバイアルアダプタを伸縮式にスナップフィットさせるのよりもかなり強い力が必要とされ、それにより、本発明の一体型伸縮式バイアルアダプタの圧縮中、医療提供者は、完全なままの個別注射バイアルにスナップフィットさせた後に不注意ですぐに注射バイアルストッパの穿孔へと進まないように意識することができる。一体型伸縮式バイアルアダプタには、任意選択で、圧縮を可能にするように一体型伸縮式バイアルアダプタを準備するための解除動作を必要とする、安全装置機構が設けられてもよい。解除動作は、相対的な回転動作、相対的な直線的変位動作、安全装置の取外しなどを伴う場合がある。単独の、または第１の医療提供者は、ＲＴＵ液剤移動組立体を準備するのを助けるための機器、たとえば治具などを利用可能でもよい。２人の医療提供者の場合、第２の医療提供者は、投与の目的のために、患者の横でＲＴＵ液剤移動組立体の一体型伸縮式バイアルアダプタを圧縮して、事前に取り付けられた無穿孔の完全なままの個別注射バイアルの注射バイアルストッパを穿孔するという、より簡単な作業を受け持つ。
【０００９】
これまで伸縮式にマウントすると同時に注射バイアルストッパを穿孔していたのを２つの個別のステップに分割すると、たとえば患者の健康状態が変化したことによりもう必要とされていない可能性のある、特定の患者用のＲＴＵ液剤移動組立体が準備される恐れがある。本発明では、無穿孔の完全なままの個別注射バイアルを新しい液剤移動装置に移して、別の患者用の新しいＲＴＵ液剤移動組立体を準備することが想定されている。言い換えれば、個別注射バイアルは、その不正開封防止キャップが再取付け不能に取り外されているにもかかわらず、その注射バイアルストッパが穿孔されていない限り、依然として投与に適しているとみなされる。したがって、本発明の一体型伸縮式バイアルアダプタを備えた液剤移動装置を用いると、ハサミのような圧縮を加えるための、対向する１対の内向き突出部を備えた完全なままの個別注射バイアル解放ツールを用いて、事前に取り付けられた無穿孔の完全なままの個別注射バイアルをそこから取り外すことが可能になる。完全なままの個別注射バイアル解放ツールは、ハサミ状ハンドツールとして構成されてもよい。別法として、完全なままの個別注射バイアル解放ツールは、ユーザが操作する電気機械的機器として構成されてもよい。未使用のＲＴＵ液剤移動組立体から完全なままの個別注射バイアルを取り外すために完全なままの個別注射バイアル解放ツールを使用することにより、承認を受けた医療提供者のみが、新しい液剤移動装置と共に使用するために完全なままの個別注射バイアルを取り外して新しいＲＴＵ液剤移動組立体を準備できるようになる。
【００１０】
本発明を理解し、それが実際にどのように実施され得るのかを確認するために、次に、単なる非限定的な例として、添付図面を参照して好ましい実施形態を説明する。各図面中、同様の部分には同様の番号を付けている。
【図面の簡単な説明】
【００１１】
【図１】伸縮式メスバイアルアダプタと、個別注射バイアルと、ニードルレスシリンジと、伸縮式メスバイアルアダプタから完全なままの個別注射バイアルを解放するためのハサミ状ハンドツールとを含む投与セットの絵画的な図である。
【図２】図１の断面線２〜２に沿った、個別注射バイアルの長手方向断面図である。
【図３】その圧縮前状態の、伸縮式メスバイアルアダプタの正面斜視図である。
【図４】図４Ａは、伸縮式メスバイアルアダプタの分解上面斜視図である。図４Ｂは、伸縮式メスバイアルアダプタの分解下面斜視図である。
【図５】無穿孔の完全なままの個別注射バイアルに伸縮式にスナップフィットされた、その圧縮前状態の伸縮式メスバイアルアダプタの、図３の断面線Ａ〜Ａに沿った長手方向断面図である。
【図６】無穿孔の完全なままの個別注射バイアルに伸縮式にスナップフィットされた、その圧縮前状態の伸縮式メスバイアルアダプタの、図３の断面線Ｂ〜Ｂに沿った長手方向断面図である。
【図７】無穿孔の完全なままの個別注射バイアルを解放するための、圧縮前状態でのハサミ状ハンドツールの使用を示す正面図である。
【図８】無穿孔の完全なままの個別注射バイアルを解放するためのハサミ状ハンドツールの使用を示す、図７の断面線Ｃ〜Ｃに沿った長手方向断面図である。
【図９】個別注射バイアルを穿孔するその圧縮状態の伸縮式メスバイアルアダプタの、図３の断面線Ａ〜Ａに沿った長手方向断面図である。
【図１０】個別注射バイアルを穿孔するその圧縮状態の伸縮式メスバイアルアダプタの、図３の断面線Ｂ〜Ｂに沿った長手方向断面図である。
【図１１】１対の初めは無穿孔の完全なままの個別注射バイアルおよびニードルレスシリンジと共に使用するように構成された、液剤移動装置の正面斜視図である。
【図１２】図１１の断面線Ｄ〜Ｄに沿った、図１１の液剤移動装置の長手方向断面図である。
【図１３】注入液容器および注入セットと共に使用するための液剤移動装置の絵画的な図である。
【図１４】図１３の断面線Ｅ〜Ｅに沿った、図１３の液剤移動装置の長手方向断面図である。
【発明を実施するための形態】
【００１２】
図１には、ニードルレスシリンジ２０と、初めは無穿孔の完全なままの個別注射バイアル３０と、伸縮式メスバイアルアダプタとして構成された液剤移動装置１００Ａと、無穿孔の完全なままの個別注射バイアル３０を液剤移動装置１００Ａから解放するための、完全なままの個別注射バイアル解放ツール２００とを含む投与セット１０が示してある。
【００１３】
図１には、ニードルレスシリンジ２０が、プランジャロッド２２およびオスコネクタ２３を備えたシリンジバレル２１を含むことが示してある。オスコネクタ２３は、好ましくは、オスのルアーロックコネクタである。ニードルレスシリンジ２０は、液体内容物を収容する。液体内容物は、通常は単なる希釈剤である。液体内容物は、活性成分を含んでもよい。
【００１４】
図１および図２には、注射バイアル３０が長手方向の注射バイアル中心線３１を有し、端部が閉じたバイアル管３２、頂部開口３４を有する管状のバイアル頂部３３、およびバイアル管３２とバイアル頂部３３の間のバイアル狭窄部３６を含むことが示してある。個別注射バイアル３０は、頂部開口３４を気密封止するための注射バイアルストッパ３７を含む。バイアル頂部３３は、バンド３８によって覆われている。注射バイアル３０は、粉末、液体などの形をとる薬剤３９を収容する。薬剤３９は、シリンジの液体内容物と共に、液剤を形成する。注射バイアル３０は、液剤を形成するために注射バイアル３０を利用する前に滅菌される、最上部注射バイアル表面４１を有する。注射バイアル３０は、使用直前に取り除かれて最上部注射バイアル表面４１を露出させる、フリップ・オフ式不正開封防止キャップ４２を含む。不正開封防止キャップ４２は１回限りの使用を意図しており、したがって取り除いた後に再び取り付けることはできない。
【００１５】
図１には、ハサミ状ハンドツールとして構成された、完全なままの個別注射バイアル解放ツール２００が示してあり、このハサミ状ハンドツールは、内向き突出部２０３をそれぞれ末端とする対向する１対の掴み具２０２を備えた、ハサミ状本体２０１を含む。対向する掴み具２０２は、互いに向かって手動で押し進められ、それにより、本明細書において図７および図８を参照して以下に記載するように、ハサミのような圧縮を加えて、無穿孔の完全なままの個別注射バイアル３０を解放するものである。
【００１６】
図３〜図１０には、液剤移動装置１００Ａが、長手方向のバイアルアダプタ中心線１０１Ａを有する一体型伸縮式バイアルアダプタ１０１を含むことが示してある。一体型伸縮式バイアルアダプタ１０１は、内側バイアルアダプタ本体１０２と、外側バイアルアダプタ本体１０３と、バイアルアダプタ１０１を不可逆的に圧縮状態でクランプするためのクランプ装置１０４とを含む。
【００１７】
内側バイアルアダプタ本体１０２は、最上部の横向き環状内側バイアルアダプタ本体壁部１０６と、最下部のバイアル頂部スリーブリム１０７Ａを備えた下方懸架バイアル頂部スリーブ１０７とを備えた、逆さまになったカップの形状を有する。内側バイアルアダプタ本体１０２は、内側バイアルアダプタ本体１０２をバイアル頂部３３に伸縮式にスナップフィットさせた際にバイアル頂部３３を内部にぴったりと受けるための、バイアル頂部空洞１０８の境界を定める。最上部の横向き環状内側バイアルアダプタ本体壁部１０６は、個別注射バイアル３０に伸縮式にスナップフィットさせた際に最上部注射バイアル表面４１の上に重なる、最上部の横向き内側バイアルアダプタ本体壁部中心貫通アパーチャ１０６Ａを、長手方向のバイアルアダプタ中心線１０１Ａに沿って有する。
【００１８】
バイアル頂部スリーブ１０７は、隣り合う第１の対の長手方向スリット１１１Ａと隣り合う第２の対の長手方向スリット１１１Ｂとを備えたバイアル頂部スリーブ主囲繞部１０９を有し、それに対応して、対称な位置にある１対のバイアル頂部保持部材１１２Ａおよび１１２Ｂを形成する。対称な位置にある１対のバイアル頂部保持部材１１２は、バイアル頂部スリーブ主囲繞部１０９に対して枢動可能であり、したがって、各バイアル頂部保持部材１１２は、バイアル頂部保持部材近位部分１１３と、バイアル頂部保持部材遠位部分１１４とを有する。最上部の横向き環状内側バイアルアダプタ本体壁部１０６は、好ましくは、対称な位置にある１対のバイアル頂部保持部材１１２の内側に、対称な位置にある１対の貫通切欠き１１６を有し、それにより、対称な位置にある１対のバイアル頂部保持部材１１２は、最上部の横向き環状内側バイアルアダプタ本体壁部１０６を軸に枢動する。各バイアル頂部保持部材遠位部分１１４は、初めは無穿孔の完全なままの個別注射バイアル３０に内側バイアルアダプタ本体１０２を伸縮式にスナップフィットさせた際にバイアル頂部３３の下にスナップフィットする、半径方向内向きのバイアル頂部保持突出部１１７を、最下部のバイアル頂部スリーブリム１０７Ａのほうにそれぞれ有する。
【００１９】
最上部の横向き環状内側バイアルアダプタ本体壁部１０６は、対称な位置にある１対のバイアル頂部保持部材１１２Ａおよび１１２Ｂに対して同様に直交する、対称な位置にある１対の直立止め具１１８Ａおよび１１８Ｂを含む。バイアル頂部スリーブ１０７は、最下部のバイアル頂部スリーブリム１０７Ａのほうに、対称な位置にある１対のバイアル頂部保持部材１１２Ａおよび１１２Ｂに対して同様に直交する、対称な位置にある１対のクランプ部材１１９Ａおよび１１９Ｂを含む。対称な位置にある１対のクランプ部材１１９は、クランプ装置１０４の構成要素をなす。
【００２０】
外側バイアルアダプタ本体１０３は、最上部の横向き外側バイアルアダプタ本体壁部１２１と下方懸架裾部１２２とを備えた、逆さまになったカップの形状を有する。外側バイアルアダプタ本体１０３は、バイアルアダプタ１０１を圧縮前状態から圧縮状態へと圧縮した際に内側バイアルアダプタ本体１０２を内部にぴったりと伸縮式に受けるための、内側バイアルアダプタ本体空洞１２３の境界を定める。下方懸架裾部１２２は、最下部の裾部リム１２２Ａを有する。
【００２１】
最上部の横向き外側バイアルアダプタ本体壁部１２１は、バイアル管３２と流体連通するように注射バイアルストッパ３７を穿孔するための、近位穿孔カニューレ開口１２４Ａおよび遠位穿孔カニューレ先端１２４Ｂを備えた下方懸架穿孔カニューレ１２４を有する。最上部の横向き外側バイアルアダプタ本体壁部１２１は、近位穿孔カニューレ開口１２４Ａと流体連通した直立液体移動ポート１２５を有する。直立液体移動ポート１２５は、ニードルレスシリンジ２０と共に使用するためのメスのコネクタとして構成される。メスのコネクタ１２５は、好ましくはメスのルアーコネクタとして構成される。
【００２２】
下方懸架裾部１２２は、隣り合う第１の対の長手方向スリット１２６Ａと、隣り合う第２の対の長手方向スリット１２６Ｂを含み、それに対応して、対称な位置にある１対の内側バイアルアダプタ本体保持部材１２７Ａおよび１２７Ｂを形成する。対称な位置にある１対の内側バイアルアダプタ本体保持部材１２７Ａおよび１２７Ｂは、同様に内側長手方向凹部１２８Ａおよび１２８Ｂを含む。その内側長手方向凹部１２８を備えた対称な位置にある１対の内側バイアルアダプタ本体保持部材１２７は、クランプ装置１０４の構成要素をなす。対称な位置にある１対の内側長手方向凹部１２８Ａおよび１２８Ｂは、同様に、対称な位置にある１対の最下部凹部リム１２９Ａおよび１２９Ｂを含む。下方懸架裾部１２２は、対称な位置にある１対の内側バイアルアダプタ本体保持部材１２７Ａおよび１２７Ｂに直交する、対称な位置にある１対の個別注射バイアル解放貫通アパーチャ１３１Ａおよび１３１Ｂを含む。
【００２３】
図５および図６には、初期の圧縮前状態において、内側バイアルアダプタ本体１０２が不注意で外側バイアルアダプタ本体１０３から取り外されることを防止するために、対称な位置にある１対の直立止め具１１８が対称な位置にある１対の最下部凹部リム１２９に配置されることが示してある。遠位穿孔カニューレ先端１２４Ｂは、無穿孔の注射バイアルストッパ３７の上に重なる。対称な位置にある１対のバイアル頂部保持部材近位部分１１３は、対称な位置にある１対の個別注射バイアル解放貫通アパーチャ１３１に位置合わせされる。バイアルアダプタ１０１は、最上部の横向き外側バイアルアダプタ本体壁部１２１と最下部の下方懸架バイアル頂部スリーブリム１０７Ａとの間の、圧縮前高さＨ１を有する。
【００２４】
薬剤を投与せず、無穿孔の完全なままの個別注射バイアル３０を再使用することが決定された場合、医療提供者は、図７および図８に示す以下のステップを踏む：医療提供者は、ハサミ状ハンドツール２００をバイアルアダプタ１０１に位置合わせして、対称な位置にある１対の個別注射バイアル解放貫通アパーチャ１３１に、その対向する１対の内向き突出部２０３を挿入する。医療提供者は、対称な位置にある１対のバイアル頂部保持部材近位部分１１３にハサミのような圧縮を加えて、矢印Ａで示すように、長手方向のバイアルアダプタ中心線１０１Ａに向かってバイアル頂部保持部材近位部分１１３を押し進める。対称な位置にある１対のバイアル頂部保持部材１１２は、バイアル頂部スリーブ主囲繞部１０９に対して枢動し、それにより、矢印Ｂで示すように、対称な位置にある１対の半径方向内向きのバイアル頂部保持突出部１１７を、長手方向のバイアルアダプタ中心線１０１Ａから遠ざけて、無穿孔の完全なままの個別注射バイアル３０を解放する。医療提供者は、矢印Ｃで示すように、内側バイアルアダプタ本体１０２から無穿孔の完全なままの個別注射バイアル３０を引き抜く。
【００２５】
図９および図１０には、最終圧縮状態では、伸縮式バイアルアダプタ１０１がその圧縮前状態へと戻ることを防止するために、対称な位置にある１対のクランプ部材１１９が対称な位置にある１対の最下部凹部リム１２９に配置されることが示してある。遠位穿孔カニューレ先端１２４Ｂは注射バイアルストッパ３７を穿孔し、それにより、直立したメスのルアーコネクタ１２５とバイアル管３２との間に流体連通をもたらす。対称な位置にある１対のバイアル頂部保持部材近位部分１１３は、最上部の横向き外側バイアルアダプタ本体壁部１２１と、対称な位置にある１対の個別注射バイアル解放貫通アパーチャ１３１との間に配置され、それにより、バイアル頂部保持部材近位部分１１３にアクセスしてハサミのような圧縮を加えることが不可能になる。バイアルアダプタ１０１は、外側バイアルアダプタ本体１０３の内側に内側バイアルアダプタ本体１０２を完全に伸縮式に挿入した際、外側バイアルアダプタ本体１０３の高さに等しい圧縮高さＨ２を有し、Ｈ２＜Ｈ１である。
【００２６】
最終圧縮状態では、医療提供者は、メスのルアーコネクタ１２５にニードルレスシリンジ２０をねじ式に取り付けてその液体内容物を個別注射バイアル３０に添加し、それにより、個別注射バイアル３０の中に液剤を形成することができる。その後、医療提供者は、投与の目的で個別注射バイアル３０から液剤を吸引することができる。
【００２７】
図１１および図１２には、これ以降Ｚｉｎｇｅｒの装置と呼ばれる、本明細書と同一所有者のＺｉｎｇｅｒらの米国特許第６，３７９，３４０号と構造が同様の、液剤移動装置１００Ｂが示してある。Ｚｉｎｇｅｒの装置は、１対の注射バイアルおよび最初は空のニードルレスシリンジと共に使用される。一方の注射バイアルは液体内容物を含み（これ以降液体バイアルと呼ばれる）、他方の注射バイアルは負圧下で薬剤を含む（これ以降薬バイアルと呼ばれる）。Ｚｉｎｇｅｒの装置は、中心フロー制御部材ポートと１対の側方バイアルアダプタとを備えた、長手方向ハウジングを有する。フロー制御部材ポートは、ニードルレスシリンジをねじ式に取り付けるためのシリンジポートを有するフロー制御部材を含む。フロー制御部材は、シリンジポートにより、バイアルアダプタ間の流体連通を可能にする第１の動作位置からバイアルアダプタとシリンジポートの間の流体連通を可能にする第２の動作位置へと回転させることができる。
【００２８】
Ｚｉｎｇｅｒの取扱い説明（ＩＦＵ：Ｉｎｓｔｒｕｃｔｉｏｎｓ  Ｆｏｒ  Ｕｓｅ）は以下の通りである：最初に一方のバイアルアダプタに液体バイアルを挿入し、続いて他方のバイアルアダプタに薬バイアルを挿入する。薬バイアルが液体バイアルから液体内容物を引き込み、液剤を形成する。最初は空のニードルレスシリンジをシリンジポートに連結し、シリンジポートを４分の１回転させて、薬バイアルからニードルレスシリンジへと液剤を吸引できるようにする。ニードルレスシリンジをＺｉｎｇｅｒの装置から取り外して、液剤を投与する。
【００２９】
液剤移動装置１００Ｂは、中心フロー制御部材ポート１４２と１対の側方一体型伸縮式バイアルアダプタ１０１とを有する細長いハウジング１４１を含む。液剤移動装置１００Ｂは、フロー制御部材ポート１４２に回転可能にマウントされたシリンジポート１４４を有する、フロー制御部材１４３を含む。一体型伸縮式バイアルアダプタ１０１は、中心フロー制御部材ポート１４２に流体連結した液体移動ポート１２５をそれぞれ有する。後者の１００Ｂを用いるとＲＴＵ液剤組立体の準備および無穿孔の完全なままの個別注射バイアルの解放が可能になることを除き、液剤移動装置１００Ｂの使用法は、Ｚｉｎｇｅｒの装置と同じである。
【００３０】
図１３および図１４には、注入液容器および注入セットと共に使用するための液剤移動装置１００Ｃが示してある。注入液容器５０は、ＩＶポートまたは投与ポート５１、および注射ポート５２を有し、また注入液５３を収容した静脈内（ＩＶ）バッグによって構成される。ＩＶポート５１は、投与の目的でＩＶスパイクを挿入するために、ツイスト・オフ式キャップ５４によって封止されている。注射ポート５２は、シリンジの内容物をＩＶバッグ５０へとニードル挿入するための封止シーリングプラグ５７を備えた注射ポート先端５６を末端とする。注入セット６０はＩＶスパイク６１を含み、追加的に、第１の管路６２、クランプ６３、ドリップチャンバ６４、第２の管路６６、ローラークランプ６７、およびオスのルアーコネクタ６８を含む。
【００３１】
液剤移動装置１００Ｃは、これ以降Ｌｅｖの装置と呼ばれる、Ｌｅｖらの、本明細書と同一所有者の米国特許出願公開第ＵＳ２０１６／０１６６８２４号の図４および図５に開示された液体移動装置と構造が同様である。Ｌｅｖの装置は、ＩＶポート５１に封止式に挿入するためのＩＶスパイクと、バイアルアダプタポートと、ツイスト・オフ式代替ＩＶポートとを有する、三つ叉に分かれたＹ字形状のコネクタ本体を含む。バイアルアダプタポートは、穿孔カニューレを備えた一体型バイアルアダプタを有する。コネクタ本体は、ＩＶスパイクを末端とする内部空洞と、穿孔カニューレと流体連通した内部空洞と、代替ＩＶポートを末端とする内部空洞とを有する。３つの内部空洞は、３方向に途切れることなく直接流体連結している。代替ＩＶポートは、適した可撓性プラスチック材料、たとえばＰＶＣなどから形成されて、ＩＶスパイク６１を封止式に受ける。代替ＩＶポートは、ＩＶスパイク６１の挿入に際して穿孔されるものである隔壁を含む。代替ＩＶポートは、近位部分および遠位部分を含む。使用に際して、遠位部分をねじり折って近位部分から外し、それにより、注入セットのＩＶスパイク６１で穿孔するために隔壁を露出させる。
【００３２】
液剤移動装置１００Ｃは、ＩＶポート５１に封止式に挿入するためのＩＶスパイク１５２と、バイアルアダプタポート１５３と、ツイスト・オフ式代替ＩＶポート１５４とを有する、三つ叉に分かれたＹ字形状のコネクタ本体１５１を含む。バイアルアダプタポート１５３は、一体型伸縮式バイアルアダプタ１０１を有する。コネクタ本体１５１は、ＩＶスパイク１５２を末端とする内部空洞１５６と、一体型伸縮式バイアルアダプタ１０１と流体連通した内部空洞１５７と、代替ＩＶポート１５４を末端とする内部空洞１５８とを有する。３つの内部空洞１５６、１５７、および１５８は、３方向に途切れることなく直接流体連結している。
【００３３】
一体型伸縮式バイアルアダプタ１０１は、バイアルアダプタポート１５３と流体連結した液体移動ポート１２５を有する。一体型伸縮式バイアルアダプタ１０１は、好ましくは、穿孔カニューレ１２４にマウントされる封止部材１５９を含んで、遠位穿孔カニューレ先端１２４Ｂの無菌性を保ち、ＲＴＵ液剤移動組立体を使用することができる期間を延長する。一体型伸縮式バイアルアダプタ１０１は、好ましくは安全装置機構１６１も含んで、不注意で圧縮前状態から圧縮状態へと圧縮されること防止する。安全装置機構１６１は、一体型伸縮式バイアルアダプタ１０１を圧縮の準備が整った状態にするために、外側バイアルアダプタ本体１０３に対して内側バイアルアダプタ本体１０２を回転させる、回転操作を必要とする。
【００３４】
液剤移動装置１００Ｃの使用法は、後者の１００Ｃを用いると、ＲＴＵ液剤組立体の準備および無穿孔の完全なままの個別注射バイアル３０の解放が可能になることを除き、Ｌｅｖの装置と同じである。
【００３５】
本発明の特定の実施形態を図示および説明したが、本発明の趣旨および範囲から逸脱しない限り、種々の他の変更および修正を加えてもよいことは、当業者には明らかであろう。
【図１】
0006902099.tif 000002
【図２】
0006902099.tif 000003
【図３】
0006902099.tif 000004
【図４Ａ】
0006902099.tif 000005
【図４Ｂ】
0006902099.tif 000006
【図５】
0006902099.tif 000007
【図６】
0006902099.tif 000008
【図７】
0006902099.tif 000009
【図８】
0006902099.tif 000010
【図９】
0006902099.tif 000011
【図１０】
0006902099.tif 000012
【図１１】
0006902099.tif 000013
【図１２】
0006902099.tif 000014
【図１３】
0006902099.tif 000015
【図１４】
0006902099.tif 000016